(57)【要約】【課題】最新のサービスエリア情報を把握することができるようにする。【解決手段】携帯電話サービスのサービスエリアを示すサービスエリア情報を提供する携帯電話サービスエリア情報提供システムであって、携帯電話機と、サーバ装置とを備え、携帯電話機は、当該携帯電話機の電波の受信状況を特定する受信状況特定手段と、携帯電話機の位置情報と受信状況特定手段が特定した電波の受信状況を示す情報とをサーバ装置に送信する受信状況送信手段と、位置情報および受信状況特定手段が特定した電波の受信状況を示す情報に基づいて、サーバ装置から受信したサービスエリア情報の表示を随時更新する制御を行う表示制御手段とを含み、サーバ装置は、携帯電話機から受信した位置情報と電波の受信状況を示す情報とに基づいて、記憶するサービスエリア情報を更新するサービスエリア情報更新手段を含む。【選択図】図１
2009004957.tif 000002
【特許請求の範囲】
【請求項１】
携帯電話サービスのサービスエリアを示すサービスエリア情報を提供する携帯電話サービスエリア情報提供システムであって、
携帯電話機と、
サーバ装置とを備え、
前記携帯電話機は、
当該携帯電話機の電波の受信状況を特定する受信状況特定手段と、
前記携帯電話機の位置情報と前記受信状況特定手段が特定した電波の受信状況を示す情報とを前記サーバ装置に送信する受信状況送信手段と、
位置情報および前記受信状況特定手段が特定した電波の受信状況を示す情報に基づいて、前記サーバ装置から受信したサービスエリア情報の表示を随時更新する制御を行う表示制御手段とを含み、
前記サーバ装置は、前記携帯電話機から受信した位置情報と電波の受信状況を示す情報とに基づいて、記憶するサービスエリア情報を更新するサービスエリア情報更新手段を含む
ことを特徴とする携帯電話サービスエリア情報提供システム。
【請求項２】
携帯電話機は、
当該携帯電話機の現在位置を算出する位置算出手段と、
当該携帯電話機の方位を検出する方位検出手段と、
前記方位検出手段が検出した方位と、前記位置算出手段が算出した現在位置から所定の地点までの方位とに基づいて、現在位置から所定の地点までの方向を算出する方向算出手段と、
前記位置算出手段が算出した現在位置に基づいて、現在位置から所定の地点までの距離を算出する距離算出手段とを含み、
表示制御手段は、前記方向算出手段が算出した方向および前記距離算出手段が算出した距離を示す情報を表示する制御を行う
請求項１記載の携帯電話サービスエリア情報提供システム。
【請求項３】
表示制御手段は、位置算出手段が算出した現在位置を中心としてサービスエリア情報を表示する制御を行う請求項２記載の携帯電話サービスエリア情報提供システム。
【請求項４】
携帯電話機は、受信状況特定手段が特定した電波の受信状況が、サービスエリア内からサービスエリア外となった場合、およびサービスエリア外からサービスエリア内となった場合に、それぞれ異なる警報を通知する警報通知手段を含む請求項１から請求項３のうちのいずれか１項に記載の携帯電話サービスエリア情報提供システム。
【請求項５】
表示制御手段は、最後にサービスエリア外となった時刻を表示する制御を行う請求項１から請求項４のうちのいずれか１項に記載の携帯電話サービスエリア情報提供システム。
【請求項６】
サーバ装置は、サービスエリア情報を記憶するサービスエリア情報データベースを含み、
前記サービスエリア情報データベースは、危険地域を示す危険地域情報を含むサービスエリア情報を記憶し、
警報通知手段は、前記サーバ装置から受信した前記危険地域情報に基づいて、位置算出手段が算出した現在位置が危険地域内となった場合に警報を通知する
請求項１から請求項５のうちのいずれか１項に記載の携帯電話サービスエリア情報提供システム。
【請求項７】
サーバ装置は、携帯電話機にサービスエリア情報を送信するサービスエリア情報サーバダウンロード手段を含み、
携帯電話機は、
サーバ装置からサービスエリア情報を受信するサービスエリア情報ダウンロード手段と、
前記サービスエリア情報ダウンロード手段が受信したサービスエリア情報を記憶するサービスエリア情報記憶手段と、
当該携帯電話機の位置情報と、受信状況特定手段が特定した電波の受信状況を示す情報とを記憶する受信状況記憶手段とを含む
請求項１から請求項６のうちのいずれか１項に記載の携帯電話サービスエリア情報提供システム。
【請求項８】
携帯電話サービスのサービスエリアを示すサービスエリア情報を提供するサーバ装置と接続された携帯電話機であって、
当該携帯電話機の電波の受信状況を特定する受信状況特定手段と、
前記携帯電話機の位置情報と前記受信状況特定手段が特定した電波の受信状況を示す情報とを前記サーバ装置に送信する受信状況送信手段と、
位置情報および前記受信状況特定手段が特定した電波の受信状況を示す情報に基づいて、前記サーバ装置から受信したサービスエリア情報の表示を随時更新する制御を行う表示制御手段と
を備えたことを特徴とする携帯電話機。
【請求項９】
携帯電話機の現在位置を算出する位置算出手段と、
当該携帯電話機の方位を検出する方位検出手段と、
前記方位検出手段が検出した方位と、前記位置算出手段が算出した現在位置から所定の地点までの方位とに基づいて、現在位置から所定の地点までの方向を算出する方向算出手段と、
前記位置算出手段が算出した現在位置に基づいて、現在位置から所定の地点までの距離を算出する距離算出手段とを含み、
表示制御手段は、前記方向算出手段が算出した方向および前記距離算出手段が算出した距離を示す情報を表示する制御を行う
請求項８記載の携帯電話機。
【請求項１０】
携帯電話サービスのサービスエリアを示すサービスエリア情報を提供する携帯電話サービスエリア情報提供方法であって、
携帯電話機が、当該携帯電話機の電波の受信状況を特定する受信状況特定ステップと、
前記携帯電話機が、当該携帯電話機の位置情報と前記受信状況特定ステップで特定した電波の受信状況を示す情報とをサービスエリア情報を記憶するサーバ装置に送信する受信状況送信ステップと、
前記携帯電話機が、位置情報および前記受信状況特定ステップで特定した電波の受信状況を示す情報に基づいて、前記サーバ装置から受信したサービスエリア情報の表示を随時更新する制御を行う表示制御ステップと、
前記サーバ装置が、前記携帯電話機から受信した位置情報と電波の受信状況を示す情報とに基づいて、記憶するサービスエリア情報を更新するサービスエリア情報更新ステップと
を含むことを特徴とする携帯電話サービスエリア情報提供方法。
【請求項１１】
携帯電話機の現在位置を算出する位置算出ステップと、
当該携帯電話機の方位を検出する方位検出ステップと、
前記方位検出ステップで検出した方位と、前記位置算出ステップで算出した現在位置から所定の地点までの方位とに基づいて、現在位置から所定の地点までの方向を算出する方向算出ステップと、
前記位置算出ステップで算出した現在位置に基づいて、現在位置から所定の地点までの距離を算出する距離算出ステップとを含み、
表示制御ステップで、前記方向算出ステップで算出した方向および前記距離算出ステップで算出した距離を示す情報を表示する制御を行う
請求項１０記載の携帯電話サービスエリア情報提供方法。
【請求項１２】
携帯電話サービスのサービスエリアを示すサービスエリア情報を提供するための携帯電話サービスエリア情報提供プログラムであって、
コンピュータに、
携帯電話機の電波の受信状況を特定する受信状況特定処理と、
前記携帯電話機の位置情報と前記受信状況特定処理で特定した電波の受信状況を示す情報とを、サービスエリア情報を記憶するサーバ装置に送信する受信状況送信処理と、
位置情報および前記受信状況特定処理で特定した電波の受信状況を示す情報に基づいて、前記サーバ装置から受信したサービスエリア情報の表示を随時更新する制御を行う表示制御処理と
を実行させるための携帯電話サービスエリア情報提供プログラム。
【請求項１３】
コンピュータに、
携帯電話機の現在位置を算出する位置算出処理と、
当該携帯電話機の方位を検出する方位検出処理と、
前記方位検出処理で検出した方位と、前記位置算出処理で算出した現在位置から所定の地点までの方位とに基づいて、現在位置から所定の地点までの方向を算出する方向算出処理と、
前記位置算出処理で算出した現在位置に基づいて、現在位置から所定の地点までの距離を算出する距離算出処理とを実行させ、
表示制御処理で、前記方向算出手段が算出した方向および前記距離算出手段が算出した距離を示す情報を表示する制御を行う処理を実行させるための
請求項１２記載の携帯電話サービスエリア情報提供プログラム。
【発明の詳細な説明】
【技術分野】
【０００１】
本発明は、携帯電話のサービスエリア情報を提供する携帯電話サービスエリア情報提供システム、携帯電話機、携帯電話サービスエリア情報提供方法および携帯電話サービスエリア情報提供プログラムに関する。
【背景技術】
【０００２】
登山者等の増加に伴い、携帯電話機により救難要請がなされることが増加している。登山時に遭難事故等にあった場合、携帯電話機は、最も有効な連絡手段の１つとなる。しかし、登山路の全てが携帯電話のサービスエリア内（以下、圏内と表記する場合がある。）であるとは限らない。特に、遭難した場合、登山者は、携帯電話のサービスエリア外（以下、圏外と表記する場合がある。）にいる可能性が高い。連絡しようとした地点が圏外である場合、登山者は、携帯電話機を用いて連絡を行うことができず、致命的である。したがって、登山者にとっては、正確なサービスエリア情報を得ることが重要になる。
【０００３】
電話等による通信が可能なサービスエリアの方向を表示するナビゲーション装置が提案されている（例えば、特許文献１参照。）。特許文献１には、サービスエリア情報を、ＣＤ−ＲＯＭ等の記録媒体から読み込むか、サーバからダウンロードして装置内に保存しておき、自車位置がサービスエリア外である場合に、最寄りのサービスエリアを探索し、表示画面上にその方角を矢印で示すと共に、サービスエリアまでの距離を表示することが記載されている。
【０００４】
また、ＧＰＳ受信機として機能する移動端末が所望の地点において自位置の測定を行い、移動履歴情報を作成する移動履歴情報作成システムが提案されている（例えば、特許文献２参照。）。
【０００５】
【特許文献１】特開２００５−１１４４１７号公報
【特許文献２】特開２００１−２６４０８６号公報
【発明の開示】
【発明が解決しようとする課題】
【０００６】
しかし、特許文献１に記載された方式では、ＣＤ−ＲＯＭ等の記録媒体やサーバが記憶するサービスエリア情報が最新の情報でない場合、実際のサービスエリア情報はわからない。また、携帯電話事業者によって提供されるサービスエリアマップ等の情報は、山岳部の詳細部等にまで言及されていない可能性がある。また、一般的な地図を用いる場合、地形等はわかるが、サービスエリアはわからないという問題がある。
【０００７】
そこで、本発明は、最新のサービスエリア情報を把握することができる携帯電話サービスエリア情報提供システム、携帯電話機、携帯電話サービスエリア情報提供方法および携帯電話サービスエリア情報提供プログラムを提供することを目的とする。
【課題を解決するための手段】
【０００８】
本発明による携帯電話サービスエリア情報提供システムは、携帯電話サービスのサービスエリアを示すサービスエリア情報を提供する携帯電話サービスエリア情報提供システムであって、携帯電話機と、サーバ装置とを備え、携帯電話機は、当該携帯電話機の電波の受信状況を特定する受信状況特定手段と、携帯電話機の位置情報と受信状況特定手段が特定した電波の受信状況を示す情報とをサーバ装置に送信する受信状況送信手段と、位置情報および受信状況特定手段が特定した電波の受信状況を示す情報に基づいて、サーバ装置から受信したサービスエリア情報の表示を随時更新する制御を行う表示制御手段とを含み、サーバ装置は、携帯電話機から受信した位置情報と電波の受信状況を示す情報とに基づいて、記憶するサービスエリア情報を更新するサービスエリア情報更新手段を含むことを特徴とする。
【０００９】
本発明による携帯電話機は、携帯電話サービスのサービスエリアを示すサービスエリア情報を提供するサーバ装置と接続された携帯電話機であって、当該携帯電話機の電波の受信状況を特定する受信状況特定手段と、携帯電話機の位置情報と受信状況特定手段が特定した電波の受信状況を示す情報とをサーバ装置に送信する受信状況送信手段と、位置情報および受信状況特定手段が特定した電波の受信状況を示す情報に基づいて、サーバ装置から受信したサービスエリア情報の表示を随時更新する制御を行う表示制御手段とを備えたことを特徴とする。
【００１０】
本発明による携帯電話サービスエリア情報提供方法は、携帯電話サービスのサービスエリアを示すサービスエリア情報を提供する携帯電話サービスエリア情報提供方法であって、携帯電話機が、当該携帯電話機の電波の受信状況を特定する受信状況特定ステップと、携帯電話機が、当該携帯電話機の位置情報と受信状況特定ステップで特定した電波の受信状況を示す情報とをサービスエリア情報を記憶するサーバ装置に送信する受信状況送信ステップと、携帯電話機が、位置情報および受信状況特定ステップで特定した電波の受信状況を示す情報に基づいて、サーバ装置から受信したサービスエリア情報の表示を随時更新する制御を行う表示制御ステップと、サーバ装置が、携帯電話機から受信した位置情報と電波の受信状況を示す情報とに基づいて、記憶するサービスエリア情報を更新するサービスエリア情報更新ステップとを含むことを特徴とする。
【００１１】
本発明による携帯電話サービスエリア情報提供プログラムは、携帯電話サービスのサービスエリアを示すサービスエリア情報を提供するための携帯電話サービスエリア情報提供プログラムであって、コンピュータに、携帯電話機の電波の受信状況を特定する受信状況特定処理と、携帯電話機の位置情報と受信状況特定処理で特定した電波の受信状況を示す情報とを、サービスエリア情報を記憶するサーバ装置に送信する受信状況送信処理と、位置情報および受信状況特定処理で特定した電波の受信状況を示す情報に基づいて、サーバ装置から受信したサービスエリア情報の表示を随時更新する制御を行う表示制御処理とを実行させることを特徴とする。
【発明の効果】
【００１２】
本発明によれば、登山者が実際に歩行した経路に基づいて最新のサービスエリア情報を収集することができるという効果がある。
【発明を実施するための最良の形態】
【００１３】
実施形態１．
以下、本発明の第１の実施形態を図面を参照して説明する。図１は、本発明による携帯電話サービスエリア情報提供システムの概要を示す説明図である。図１に示すように、携帯電話サービスエリア情報提供システムは、携帯電話機１００と、管理サーバ２００とを備える。
【００１４】
図１に示すように、管理サーバ２００は、例えば、登山口の山小屋に設置される。管理サーバ２００には、最新のサービスエリア情報が記憶されている。サービスエリア情報は、携帯電話のサービスエリアを示す情報であって、例えば、所定の位置における電波の受信状況を示す情報である。例えば、サービスエリア情報は、地図データにおける座標情報と、電波の受信状況を示す情報とが対応付けられた情報である。なお、管理サーバ２００は、携帯電話事業者等によって提供されるサービスエリア情報を予め記憶していてもよい。
【００１５】
登山者は、登山の際に、山小屋で、携帯電話サービスエリア表示対応の携帯電話機１００を借りる。携帯電話機１００は、登山者に貸し出すための端末であって、複数備えられる。なお、携帯電話サービスエリア表示対応の携帯電話機とは、携帯電話サービスエリア情報提供アプリケーションが搭載された携帯電話機のことである。携帯電話機１００の貸し出しに際し、携帯電話機１００は、管理サーバ２００から最新のサービスエリア情報をダウンロードする。ここで、携帯電話機１００は、最新のサービスエリア情報とともに地図データをダウンロードしてもよい。登山者は、携帯電話機１００の携帯電話サービスエリア情報提供アプリケーションを起動して登山に向かう。
【００１６】
図１に示すように、携帯電話機１００は、定期的にＧＰＳ衛星１０からの電波を受信して、携帯電話機１００の位置や移動方向等を算出し、位置情報として出力する。同時に、携帯電話機１００は、無線通信基地局（図示せず。）から送信される電波の受信状況を特定する。携帯電話機１００は、例えば、位置情報と電波の受信状況を示す情報とを順次記憶する。
【００１７】
また、登山者の歩行進路において、サービスエリア外（圏外）に移動した時や、サービスエリア内（圏内）に復帰した時に、携帯電話機１００は、それぞれ異なるアラームを発する。
【００１８】
登山者は、下山の際に山小屋で携帯電話機１００を返却する。返却された携帯電話機１００は、管理サーバ２００に接続し、記憶した位置情報と電波の受信状況を示す情報とを管理サーバ２００に送信する。管理サーバ２００は、受信した位置情報と電波の受信状況を示す情報とに基づいて、記憶するサービスエリア情報を更新する。
【００１９】
図２は、第１の実施形態の携帯電話サービスエリア情報提供システムの構成の一例を示すブロック図である。図２に示す携帯電話サービスエリア情報提供システムは、携帯電話機１００と、管理サーバ２００とを備える。
【００２０】
携帯電話機１００は、表示制御部１０１と、受信状況特定部１０２と、サービスエリア情報アップロード部１０３とを含む。表示制御部１０１、受信状況特定部１０２およびサービスエリア情報アップロード部１０３は、携帯電話機１００に搭載されるＣＰＵが、それらの機能を実現するためのプログラム（携帯電話サービスエリア情報提供アプリケーション）を実行することによって実現される。
【００２１】
表示制御部１０１は、管理サーバ２００から受信したサービスエリア情報を表示する制御を行う。例えば、ユーザによって携帯電話サービスエリア情報提供アプリケーションが起動され、メニュー画面から「エリア表示」が選択されると、表示制御部１０１は、サービスエリア情報を地図表示する。
【００２２】
受信状況特定部１０２は、無線通信基地局によって送信される携帯電話機の電波の受信状況を特定する処理を実行する。受信状況は、例えば、強、中、弱、圏外等で表される。具体的には、受信状況特定部１０２は、受信した信号の受信レベルが所定の閾値より大きいか否かを判断することにより、強、中、弱、圏外のいずれであるかを判断する。
【００２３】
サービスエリア情報アップロード部１０３は、携帯電話機１００の位置情報と、受信状況特定部１０２が特定した電波の受信状況を示す情報とを、管理サーバ２００に送信する。
【００２４】
また、表示制御部１０１は、携帯電話機１００の位置情報と、受信状況特定部１０２が特定した電波の受信状況を示す情報とに基づいて、管理サーバ２００から受信したサービスエリア情報の表示を随時更新する制御を行う。例えば、位置情報がある場合には、対応する電波の受信状況を示す情報をサービスエリア情報として表示し、位置情報がない場合には、管理サーバ２００によって送信されたサービスエリア情報を表示する。
【００２５】
また、管理サーバ２００は、サービスエリア情報サーバアップロード部２０１を含む。具体的には、サービスエリア情報サーバアップロード部２０１は、プログラムに従って動作するＣＰＵによって実現される。
【００２６】
サービスエリア情報サーバアップロード部２０１は、携帯電話機１００のサービスエリア情報アップロード部１０３がアップロードした位置情報と電波の受信状況を示す情報とを受信し、受信した情報に基づいて、記憶するサービスエリア情報を更新する処理を実行する。ここで、情報保護の観点から、サービスエリア情報サーバアップロード部２０１は、携帯電話機１００の位置情報および電波の受信状況を示す情報のみを保存し、携帯電話機１００の端末情報を保存しないことが望ましい。
【００２７】
次に、図面を参照して第１の実施形態の動作について説明する。図３は、携帯電話サービスエリア情報提供システムの動作の一例を示すフローチャートである。
【００２８】
ユーザは、登山を始める前に、予め山小屋などで携帯電話機１００を貸与される。そして、ユーザは、貸与された携帯電話機１００を携帯して登山を行う。なお、登山を行う際、携帯電話機１００は、予め、ユーザの操作に従って、管理サーバ２００から最新のサービスエリア情報をダウンロードする。
【００２９】
例えば、登山中に、受信状況特定部１０２は、無線通信基地局によって送信される携帯電話の電波の受信状況を特定する（ステップＳ１１）。
【００３０】
表示制御部１０１は、予め管理サーバ２００からダウンロードしたサービスエリア情報の表示を、携帯電話機１００の位置情報と、受信状況特定部１０２が特定した電波の受信状況を示す情報とに基づいて更新する（ステップＳ１２）。
【００３１】
登山を終わり、山小屋等に下山すると、ユーザは、携帯電話機１００を返却する。例えば、下山すると、サービスエリア情報アップロード部１０３は、ユーザの操作に従って、携帯電話機１００の位置情報と、受信状況特定部１０２が特定した電波の受信状況を示す情報とを、管理サーバ２００にアップロードする（ステップＳ１３）。管理サーバ２００のサービスエリア情報サーバアップロード部２０１は、携帯電話機１００から受信した位置情報と電波の受信状況を示す情報とに基づいて、記憶するサービスエリア情報を更新する（ステップＳ１４）。
【００３２】
以上に説明したように、第１の実施形態によれば、登山者は、最新のサービスエリア情報を収集して閲覧することができる。また、管理サーバ２００は、登山者が実際に歩行した経路のサービスエリア情報を自動的に収集し、更新することができる。さらに、携帯電話機の貸し出しを、入山および下山の申請と併用することも可能である。
【００３３】
実施形態２．
以下、本発明の第２の実施形態を図面を参照して説明する。図４は、第２の実施形態の携帯電話サービスエリア情報提供システムの構成の一例を示すブロック図である。図４に示す携帯電話サービスエリア情報提供システムは、携帯電話機１００と、管理サーバ２００とを備える。以下、第１の実施形態における携帯電話機１００および管理サーバ２００と同様の構成部については、図２と同一の符号を付し、説明を省略する。
【００３４】
携帯電話機１００は、表示制御部１０１と、受信状況特定部１０２と、サービスエリア情報アップロード部１０３と、サービスエリア情報ダウンロード部１０４と、位置算出部１０５と、サービスエリア情報記憶部１０６と、受信状況記憶部１０７と、方位検出部１０８と、方向算出部１０９と、距離算出部１１０と、警報通知部１１１とを含む。
【００３５】
管理サーバ２００は、サービスエリア情報サーバアップロード部２０１と、携帯電話機１００にサービスエリア情報を送信するサービスエリア情報サーバダウンロード部２０２と、サービスエリア情報を記憶するサービスエリア情報データベース２０３とを含む。
【００３６】
サービスエリア情報ダウンロード部１０４は、管理サーバ２００から、サービスエリア情報データベース２０３が記憶するサービスエリア情報をダウンロードして、サービスエリア情報記憶部１０６に記憶させる。
【００３７】
位置算出部１０５は、所定時間ごとにＧＰＳ衛星からの電波を受信し、携帯電話機１００の現在位置や移動方向等を算出し、位置情報を出力する。例えば、位置算出部１０５は、定期的（例えば１分周期）にＧＰＳ衛星からの電波を受信する。なお、位置算出部１０５が位置情報を出力する処理と、受信状況特定部１０２が電波の受信状況を特定する処理とは、ほぼ同時に実行されることが望ましい。
【００３８】
サービスエリア情報記憶部１０６は、サービスエリア情報ダウンロード部１０４が管理サーバからダウンロードしたサービスエリア情報を記憶する。
【００３９】
受信状況記憶部１０７は、位置算出部１０５が出力した携帯電話機１００の位置情報と、受信状況特定部１０２が特定した電波の受信状況を示す情報とを対応付けて記憶する。
【００４０】
方位検出部１０８は、サービスエリア情報を表示する際に基準となる方位を検出する。例えば、方位検出部１０８は、携帯電話機１００の正面方向の方位や、携帯電話機１００の進行方向の方位を検出する。方位検出部１０８は、例えば、内蔵ジャイロスコープによって実現される。
【００４１】
方向算出部１０９は、方位検出部１０８が検出した方位と、現在位置から所定の目的地までの方位とに基づいて、現在位置から目的地までの方向を算出する。ここで、方向算出部１０９は、現在位置から目的地までの方位を、例えば、位置算出部１０５が出力した携帯電話機１００の位置情報と、目的地の位置情報とに基づいて算出してもよい。
【００４２】
距離算出部１１０は、現在位置から目的地までの距離を算出する。ここで、距離算出部１１０は、現在位置から目的地までの距離を、例えば、位置算出部１０５が出力した携帯電話機１００の位置情報と、目的地の位置情報とに基づいて算出してもよい。
【００４３】
表示制御部１０１は、方向算出部１０９が算出した方向と、距離算出部１１０が算出した距離を示す情報を、例えば、サービスエリア情報とともに表示する制御を行う。ここで、表示制御部１０１は、携帯電話機１００の現在位置を中心としてサービスエリア情報を表示する制御を行ってもよい。また、表示制御部１０１は、例えば、最後にサービスエリア外となった時刻を表示する制御を行ってもよい。
【００４４】
警報通知部１１１は、受信状況特定部１０２が特定した電波の受信状況が、サービスエリア内からサービスエリア外となった場合およびサービスエリア外からサービスエリア内となった場合に、それぞれ異なる警報を通知する。
【００４５】
なお、警報通知部１１１は、例えば、表示部（図示せず。）に警告メッセージを表示したり、スピーカ（図示せず。）を介して警告音を出力することにより、通知を行ってもよい。
【００４６】
また、サービスエリア情報ダウンロード部１０４は、危険地域を示す情報を含むサービスエリア情報をダウンロードすることが望ましい。そして、登山歩行中、位置算出部１０５が算出した現在位置がコースを外れて危険地域に入った場合に、警報通知部１１１は、警報を通知する。ここで、表示制御部１０１は、危険地域を示す情報を含むサービスエリア情報を表示する制御を行ってもよい。
【００４７】
次に、図面を参照して第２の実施形態の動作について説明する。
【００４８】
図５は、目的地までの方向および距離を表示する処理を示すフローチャートである。以下、登山者が登山中に、携帯電話機１００を用いて連絡を取りたい場合であって、現在位置がサービスエリア外である場合について説明する。このような場合、一般に、登山者は、どちらの方向に行けばサービスエリア内になるのかわからないことが多い。また、特許文献１に記載された方式では、最短のサービスエリア地点が指示され、歩行困難なケースも予想される。
【００４９】
第２の実施形態では、例えば、登山者が、道の状況を判断し、早く安全に行ける地点（目的地）を選定して指定することにより、目的地までの方向および距離を画面表示する。例えば、ユーザによって携帯電話サービスエリア情報提供アプリケーションが起動され、メニュー画面から「エリア表示」が選択された場合の動作について説明する。
【００５０】
まず、位置算出部１０５は、携帯電話機１００の現在位置を算出し、位置情報を出力する（ステップＳ２１）。方位検出部１０８は、サービスエリア情報を表示する際に基準となる方位を検出する（ステップＳ２２）。以下、方位検出部１０８が、携帯電話機１００の正面方向の方位として所定方位を検出した場合を例に説明する。
【００５１】
表示制御部１０１は、位置算出部１０５が算出した現在位置を中心として、サービスエリア情報記憶部１０６が記憶するサービスエリア情報を地図表示する（ステップＳ２３）。なお、表示制御部１０１は、例えば、方位検出部１０８が検出した方位を、表示画面の上方向として、サービスエリア情報を表示してもよい。また、例えば、ユーザによってメニュー画面から「広域表示」が選択された場合には、表示制御部１０１は、より広い範囲のサービスエリア情報を表示してもよい。
【００５２】
方向算出部１０９は、例えば、位置算出部１０５が算出した現在位置の位置情報と、所定の操作により設定された目的地の位置情報とに基づいて、現在位置から目的地までの方位を算出する。そして、方向算出部１０９は、方位検出部１０８が検出した方位と、算出した現在位置から目的地までの方位とに基づいて、現在位置から目的地までの方向を算出する（ステップＳ２４）。
【００５３】
また、距離算出部１１０は、例えば、位置算出部１０５が算出した現在位置の位置情報と、目的地の位置情報とに基づいて、現在位置から目的地までの距離を算出する（ステップＳ２５）。
【００５４】
表示制御部１０１は、方向算出部１０９が算出した現在位置から目的地までの方向と、距離算出部１１０が算出した現在位置から目的地までの距離を示す情報を、例えば、サービスエリア情報とともに表示する（ステップＳ２６）。
【００５５】
上述したように、表示制御部１０１は、例えば、現在位置を中心として、サービスエリア情報と、目的地までの方向および距離を示す情報とを地図表示する。そのため、登山者は、どの方向にどの程度行けばサービスエリア内となるかを確認することができる。
【００５６】
また、登山者は、通常、サービスエリア外に入ってしまったことを知らなかったり、気が付かないことが多い。第２の実施形態では、警報通知部１１１は、受信状況特定部１０２が特定した電波の受信状況が、サービスエリア内からサービスエリア外となった場合、およびサービスエリア外からサービスエリア内となった場合に、それぞれ異なる警報を通知する。
【００５７】
図６は、サービスエリアを移動した場合に警報を通知する処理を示すフローチャートである。
【００５８】
警報通知部１１１は、受信状況特定部１０２が特定した電波の受信状況が変化した場合に、電波の受信状況が、サービスエリア内からサービスエリア外となったか否かを判断する（ステップＳ３１）。具体的には、受信状況特定部１０２は、受信した信号の受信レベルが所定の閾値より大きいか否かを判断することにより、サービスエリア内、サービスエリア外のいずれであるかを判断する。
【００５９】
ステップＳ３１において、電波の受信状況が、サービスエリア内からサービスエリア外となったと判断した場合（Ｙｅｓ）、警報通知部１１１は、第１の警報を通知する（ステップＳ３２）。
【００６０】
ステップＳ３１において、電波の受信状況が、サービスエリア外からサービスエリア内となったと判断した場合（Ｎｏ）、警報通知部１１１は、第２の警報を通知する（ステップＳ３３）。ステップＳ３２，Ｓ３３において、警報通知部１１１は、例えば、表示部に警告メッセージを表示したり、スピーカを介して警告音を出力することにより、通知を行う。
【００６１】
上述したように、警報通知部１１１は、サービスエリアを移動した場合に警報を通知する。ここで、サービスエリア内からサービスエリア外となった場合の通知と、サービスエリア外からサービスエリア内となった場合の通知とは、異なることが望ましい。
【００６２】
なお、表示制御部１０１は、最後にサービスエリア外となった時刻を表示させてもよい。そのような構成によれば、どの程度引き返せばよいかの目安を知ることができる。
【００６３】
また、サービスエリア情報データベース２０３は、危険地域を示す情報を含むサービスエリア情報を記憶し、表示制御部１０１は、危険地域を示す情報を含むサービスエリア情報をダウンロードして表示する制御を行ってもよい。そして、登山歩行中、位置算出部１０５が算出した現在位置がコースを外れて危険地域に入った場合に、警報通知部１１１は、表示部に警告メッセージを表示したり、スピーカを介して警告音を出力することにより、通知を行ってもよい。
【００６４】
以上に説明したように、第２の実施形態によれば、例えば、現在位置を中心として、目的地までの方向および距離をサービスエリア情報とともに地図表示することができる。そのため、登山者は、どの方向にどの程度行けばサービスエリア内となるかを確認することができる。
【００６５】
また、サービスエリアを移動した場合に警報を通知することから、登山者は、歩行中にサービスエリア外に入ったことや、サービスエリア内に入ったことを把握することができる。
【００６６】
さらに、最後にサービスエリア外となった時刻を表示させることにより、どの程度引き返せばよいかの目安を知ることができる。また、危険地域を示す情報を含むサービスエリア情報をダウンロードすることにより、危険地域に入った場合に、通知を行うことができる。
【００６７】
なお、上記に示した実施例では、以下の（１）〜（７）に示すような携帯電話サービスエリア情報提供システムの特徴的構成が示されている。
【００６８】
（１）携帯電話サービスのサービスエリアを示すサービスエリア情報を提供する携帯電話サービスエリア情報提供システムであって、携帯電話機（例えば、携帯電話機１００によって実現される）と、サーバ装置（例えば、管理サーバ２００によって実現される）とを備え、携帯電話機は、当該携帯電話機の電波の受信状況を特定する受信状況特定手段（例えば、受信状況特定部１０２によって実現される）と、携帯電話機の位置情報と受信状況特定手段が特定した電波の受信状況を示す情報とをサーバ装置に送信する受信状況送信手段（例えば、サービスエリア情報アップロード部１０３によって実現される）と、位置情報および受信状況特定手段が特定した電波の受信状況を示す情報に基づいて、サーバ装置から受信したサービスエリア情報の表示を随時更新する制御を行う表示制御手段（例えば、表示制御部１０１によって実現される）とを含み、サーバ装置は、携帯電話機から受信した位置情報と電波の受信状況を示す情報とに基づいて、記憶するサービスエリア情報を更新するサービスエリア情報更新手段（例えば、サービスエリア情報サーバアップロード部２０１によって実現される）を含むことを特徴とする。
【００６９】
（２）携帯電話機は、当該携帯電話機の現在位置を算出する位置算出手段（例えば、位置算出部１０５によって実現される）と、当該携帯電話機の方位を検出する方位検出手段（例えば、方位検出部１０８によって実現される）と、方位検出手段が検出した方位と、位置算出手段が算出した現在位置から所定の地点までの方位とに基づいて、現在位置から所定の地点までの方向を算出する方向算出手段（例えば、方向算出部１０９によって実現される）と、位置算出手段が算出した現在位置に基づいて、現在位置から所定の地点までの距離を算出する距離算出手段（例えば、距離算出部１１０によって実現される）とを含み、表示制御手段は、方向算出手段が算出した方向および距離算出手段が算出した距離を示す情報を表示する制御を行うように構成されていてもよい。
【００７０】
（３）表示制御手段は、位置算出手段が算出した現在位置を中心としてサービスエリア情報を表示する制御を行うように構成されていてもよい。
【００７１】
（４）携帯電話機は、受信状況特定手段が特定した電波の受信状況が、サービスエリア内からサービスエリア外となった場合、およびサービスエリア外からサービスエリア内となった場合に、それぞれ異なる警報を通知する警報通知手段（例えば、警報通知部１１１によって実現される）を含むように構成されていてもよい。
【００７２】
（５）表示制御手段は、最後にサービスエリア外となった時刻を表示する制御を行うように構成されていてもよい。
【００７３】
（６）サーバ装置は、サービスエリア情報を記憶するサービスエリア情報データベース（例えば、サービスエリア情報データベース２０３によって実現される）を含み、サービスエリア情報データベースは、危険地域を示す危険地域情報を含むサービスエリア情報を記憶し、警報通知手段は、サーバ装置から受信した危険地域情報に基づいて、位置算出手段が算出した現在位置が危険地域内となった場合に警報を通知するように構成されていてもよい。
【００７４】
（７）サーバ装置は、携帯電話機にサービスエリア情報を送信するサービスエリア情報サーバダウンロード手段（例えば、サービスエリア情報サーバダウンロード部２０２によって実現される）を含み、携帯電話機は、サーバ装置からサービスエリア情報を受信するサービスエリア情報ダウンロード手段（例えば、サービスエリア情報ダウンロード部１０４によって実現される）と、サービスエリア情報ダウンロード手段が受信したサービスエリア情報を記憶するサービスエリア情報記憶手段（例えば、サービスエリア情報記憶部１０６によって実現される）と、当該携帯電話機の位置情報と、受信状況特定手段が特定した電波の受信状況を示す情報とを記憶する受信状況記憶手段（例えば、受信状況記憶部１０７によって実現される）とを含むように構成されていてもよい。
【産業上の利用可能性】
【００７５】
本発明は、携帯電話のサービスエリア情報を提供する携帯電話サービスエリア情報提供システムに効果的に適用できる。例えば、収集したデータを地図にして販売したり、山岳雑誌に掲載することにより、登山者向けの山岳ビジネスに効果的に適用できる。山岳ビジネスを登山保険等の保険ビジネスと連携させてもよい。また、収集したデータを携帯電話事業者に供給することにより、エリア改善を図るために効果的に適用できる。
【図面の簡単な説明】
【００７６】
【図１】本発明による携帯電話サービスエリア情報提供システムの概要を示す説明図である。
【図２】第１の実施形態の携帯電話サービスエリア情報提供システムの構成の一例を示すブロック図である。
【図３】携帯電話サービスエリア情報提供システムの動作の一例を示すフローチャートである。
【図４】第２の実施形態の携帯電話サービスエリア情報提供システムの構成の一例を示すブロック図である。
【図５】目的地までの方向および距離を表示する処理を示すフローチャートである。
【図６】サービスエリアを移動した場合に警報を通知する処理を示すフローチャートである。
【符号の説明】
【００７７】
１００  携帯電話機
２００  管理サーバ
【図１】
2009004957.tif 000003
【図２】
2009004957.tif 000004
【図３】
2009004957.tif 000005
【図４】
2009004957.tif 000006
【図５】
2009004957.tif 000007
【図６】
2009004957.tif 000008